(57)【要約】【課題】鏡胴を含めた駆動系からのノイズを効果的に遮断し、かつ小型化にも適応できること。【解決手段】筐体１０内において、レンズの駆動のためのモータを有した鏡胴１１が配置された第１の空間である本体空間ＫＨから音響的に遮蔽するための壁材１０ｃまたはキャビティ壁材１８ａまたはこれらの両方を設けて、壁材１０ｃによって筐体１０内に本体空間ＫＨから遮蔽された第２の空間である収納空間ＫＤまたは音響空間ＫＫを形成し、第２の空間に録音用のマイクロフォン１４を配置する。【選択図】      図３
2005197788.tif 000002
【特許請求の範囲】
【請求項１】
筐体内において、レンズの駆動のためのモータを有した鏡胴が配置された第１の空間から音響的に遮蔽するための壁材を設けて、当該壁材によって前記筐体内に前記第１の空間から遮蔽された第２の空間を形成し、前記第２の空間に録音用のマイクロフォンを配置した、
ことを特徴とする電子カメラ。
【請求項２】
前記第２の空間は、当該電子カメラのグリップ部の内部であって、当該電子カメラの電源である電池を収納する電池収納空間とされている、
請求項１記載の電子カメラ。
【請求項３】
前記第２の空間は、当該電子カメラの音声出力を行うスピーカのフロントキャビィとして機能する空間とされている、
請求項１記載の電子カメラ。
【請求項４】
筐体内に、レンズの駆動のためのモータを有した鏡胴が配置された本体空間と、グリップ部の内部であって当該電子カメラの電源である電池を収納する電池収納空間とを有してなる電子カメラであって、
前記本体空間と前記電池収納空間との間に、前記電池収納空間を前記本体空間から音響的に遮蔽するための第１の壁材が設けられており、
前記電池収納空間には、第２の壁材で囲まれることによって、外部に対して音声出力を行うスピーカのフロントキャビィとして機能する音響空間が設けられており、
前記音響空間の中に録音用のマイクロフォンが配置されてなる、
ことを特徴とする電子カメラ。
【請求項５】
前記マイクロフォンとして、それ自体の筐体内で振動板がフローティングされている形式のものが用いられ、
前記マイクロフォンは、フレキシブル基板に取り付けられ、前記フレキシブル基板が前記壁材または第２の壁材と前記スピーカとの間に挟まれることにより固定されてなる、
請求項３または４記載の電子カメラ。
【請求項６】
前記マイクロフォンが動作しているときには前記スピーカが動作しないように、かつ前記スピーカが動作しているときには前記マイクロフォンが動作しないように、制御されてなる、
請求項３ないし５のいずれかに記載の電子カメラ。
【発明の詳細な説明】
【技術分野】
【０００１】
本発明は、カメラの筐体内に設けられたマイクロフォンが駆動系からのノイズを拾い難くして録音時のノイズを軽減した電子カメラに関する。
【背景技術】
【０００２】
近年において、電子カメラの一種であるデジタルカメラは、その高機能化が進み、ビデオカメラの機能である動画撮影の機能が多くの製品に盛り込まれている。これにともなって、静止画の撮影においては必要ではなかった音声録音の機能がデジタルカメラにとって必須となってきた。
【０００３】
しかし、デジタルカメラでは、静止画の撮影における速写性およびそのための高速動作が最も重要である。そのため、モータなどの駆動系を高速で動作させる必要があり、これらモータなどの駆動時の騒音が録音時のノイズとして問題となる。
【０００４】
この問題に対して、撮影レンズ内の駆動系の騒音が外に漏れないように隙間遮蔽部材で隙間を塞ぐ構造とすることが提案されている（特許文献１）。また、ノイズ源であるレンズ鏡胴を遮音性のある弾性部材で包んでしまうことも提案されている（特許文献２）。
【特許文献１】特開２００２−３１４８５４
【特許文献２】特開平５−２８８９７３
【発明の開示】
【発明が解決しようとする課題】
【０００５】
上に述べた特許文献１に記載の構造によると、騒音の主要源である駆動部分に蓋をするという発想であり騒音遮蔽の効果が期待できる。しかし、カメラ構造の設計上の制約が大きく、デジタルカメラの小形化には十分に対応できない。特許文献２に記載の構造によってもこれと同様にデジタルカメラの小形化には向いていない。
【０００６】
本発明は、上述の問題に鑑みてなされたもので、鏡胴を含めた駆動系からのノイズを効果的に遮断し、かつ小型化にも適応できることを課題とする。
【課題を解決するための手段】
【０００７】
本発明に係る電子カメラは、筐体内において、レンズの駆動のためのモータを有した鏡胴が配置された第１の空間から音響的に遮蔽するための壁材を設けて、当該壁材によって前記筐体内に前記第１の空間から遮蔽された第２の空間を形成し、前記第２の空間に録音用のマイクロフォンを配置する。
【０００８】
好ましくは、前記第２の空間は、当該電子カメラのグリップ部の内部であって、当該電子カメラの電源である電池を収納する電池収納空間とされる。
【０００９】
また、前記第２の空間は、当該電子カメラの音声出力を行うスピーカのフロントキャビィとして機能する空間とされる。
【００１０】
マイクロフォンが配置された第２の空間が駆動系の配置された第１の空間から壁材によって遮音されるので、駆動系のノイズが減衰され、マイクロフォンへのノイズが低減される。スピーカのフロントキャビティを形成するためのキャビティ壁材を用い、フロントキャビティを第２の空間とすることにより、一層効果的に遮音される。
【００１１】
また、駆動系が配置された第１の空間である本体空間と電池を収納する第２の空間である電池収納空間とを壁材で仕切って互いに独立した空間とし、さらに電池収納空間にキャビティ壁材を設けることによって音響空間を設け、音響空間内にマイクロフォンを配置することによって、さらに効果的にノイズが遮音される。
【００１２】
本発明の電子カメラには、デジタルカメラの他、ビデオカメラ、その他、電子的に制御されかつ録音の行われるカメラが含まれる。
【発明の効果】
【００１３】
本発明によると、鏡胴を含めた駆動系からのノイズを効果的に遮断し、かつ小型化にも適応できる。
【発明を実施するための最良の形態】
【００１４】
図１は本発明に係るデジタルカメラ１の概略の構造を示す正面断面図、図２はデジタルカメラ１の平面断面図、図３は本体空間ＫＨ、収納空間ＫＤ、および音響空間ＫＫの構造を簡略化して示した図、図４は収納空間ＫＤを構成するキャビティ壁材１８ａの部分を示す正面断面図、図５はキャビティ壁材１８ａの部分を示す平面図、図６はデジタルカメラ１の機能を示すブロック図である。
【００１５】
図１および図２に示すように、デジタルカメラ１は、筐体（ハウジング）１０の内部または表面に、鏡胴１１、撮像素子１０４、回路基板３１ａ〜ｃ、電池３３、モータ３４、駆動機構３５、キャビティ壁材１８ａ、スピーカ１８、マイクロフォン１４、その他の種々の部品が取り付けられて構成される。図示はされていないが、筐体１０には、レリーズボタン、ファインダ、表示部（背面モニタ）、モード選択ダイアル、十字キー（ジョグダイアル）、設定ボタン、フラッシュ、通信用コネクタなど、それ自体の構造および機能は公知である種々の部品が設けられている。
【００１６】
鏡胴１１には、図示しないレンズが設けられており、モータ３４および図示しない他のモータまたはアクチュエータ並びに駆動機構３５からなる駆動系ＤＫによって、自動焦点調節、ズーミング、絞り調節、シャッタの開閉などの動作が行われる。撮像素子１０４は、レンズで捉えた被写体像を画像信号に変換するための光電変換素子であり、ＣＣＤやＣ−ＭＯＳなどが用いられる。
【００１７】
筐体１０は、金属のプレス加工、合成樹脂の成形、または自在成形などによって、それ自体は薄板状に形成されており、全体としてデジタルカメラ１の外装の役目を果たす。筐体１０は、例えば、分割されて製作された複数の筐体部材を、適当な箇所において互いに連結することによって形成される。例えば、デジタルカメラ１の前後方向におけるほぼ中央位置において２つ割りに形成され、継ぎ目が背面からのビスなどで互いに固定される。または、デジタルカメラ１の上下方向におけるほぼ中央位置において２つ割りに形成されて互いに固定される。また、別部材を連結して筐体１０を形成することも可能である。このように、筐体１０は、種々の方法によって、必要な形状または構造となるように形成することが可能である。
【００１８】
筐体１０は、上に述べた鏡胴１１および回路基板３１ａ〜ｃなどのようにデジタルカメラ１としての機能部品のほとんどを収納する本体空間ＫＨを形成する本体部１０ａと、電池３３の収納空間ＫＤを形成するグリップ部１０ｂとを有する。
【００１９】
すなわち、図３にも示されるように、本体空間ＫＨには、モータ３４および駆動機構３５などのように、ノイズ源となる駆動系ＤＫが配置されている。収納空間ＫＤには、さらに、上に述べたキャビティ壁材１８ａ、スピーカ１８、およびマイクロフォン１４が配置されている。これら、本体空間ＫＨと収納空間ＫＤとは、それらの間に設けられた壁材１０ｃによって仕切られている。
【００２０】
つまり、本体空間ＫＨおよび収納空間ＫＤは、それぞれ密閉されたまたは密閉可能な独立した空間（または部屋）とされている。収納空間ＫＤは、壁材１０ｃによって本体空間ＫＨから音響的に遮断されている。したがって、本体空間ＫＨ内において駆動系ＤＫなどから発生したノイズＮＺ１は、壁材１０ｃの存在によって収納空間ＫＤには直接には通過することなく、壁材１０ｃにより減衰されて伝わり、小さなノイズＮＺ２となる。さらに、収納空間ＫＤに入ったノイズＮＺ２は、音響空間ＫＫに伝わるときにはさらに減衰し、さらに小さなノイズＮＺ３となる。このようにして、駆動系ＤＫで発生する問題となるノイズＮＺ１は、音響空間ＫＫには問題とならない小さなレベルのノイズＮＺ３にまで減衰される。これにより、録音時において、マイクロフォン１４には実用上問題とならない程度のノイズＮＺ３しか入らず、十分なＳＮ比で録音が行われる。
【００２１】
次に、音響空間ＫＫについてさらに詳しく説明する。
【００２２】
図１および図２によく示されるように、収納空間ＫＤ内の上部であって背面側に近い位置に、キャビティ壁材１８ａが設けられている。
【００２３】
図３および図４によく示されるように、キャビティ壁材１８ａは、筐体１０のグリップ部１０ｂの上壁面に取り付けられている。図においてはそれらが一体的に取り付けられまたは一体的に形成されているように描かれており、それでもよいのであるが、本実施形態においては実際は互いに別体で製作され、キャビティ壁材１８ａがグリップ部１０ｂの上壁面に接着剤またはビスによって取り付けられている。グリップ部１０ｂの上壁面のキャビティ壁材１８ａの内部に、音をよく通すための複数の穴１０ｄ，１０ｄが設けられている。
【００２４】
図４および図５を参照して、キャビティ壁材１８ａは、合成樹脂材料によって円筒状に形成されており、内周面の下部にリング状のつば部１８ｂが形成されている。スピーカ１８は、キャビティ壁材１８ａの内周面にその下方から嵌入され、接着剤またはビスなどによって固定されている。なお、スピーカ１８の固定に当たっては、その下方から板バネ部材などによって押圧するようにしてもよい。
【００２５】
スピーカ１８は、マグネットおよびボイスコイルなどからなる駆動部１８１、および合成樹脂製の振動板１８２などからなるダイナミック型のものである。振動板１８２の前面（上面）には、振動板１８２の保護のための円板状の保護板１８３が設けられている。保護板１８３には、適当な位置に複数の穴１８４，１８４…が設けられている。
【００２６】
マイクロフォン１４は、フレキシブル基板（ＦＰＣ）１４ａの表面に取り付けられ、かつ必要な結線がなされている。本実施形態では、マイクロフォン１４として半導体マイクロフォンが用いられる。半導体マイクロフォンは、音を拾う振動板が内部でフローティング状態となっており、そのため外部からの音を直接に拾うことがなく、ＳＮ比の点で優れている。
【００２７】
フレキシブル基板１４ａは、キャビティ壁材１８ａとスピーカ１８との間に挟まれることによって固定されている。つまり、キャビティ壁材１８ａの周方向の一部において、つば部１８ｂの下部に切り欠き１８ｃが設けられ、切り欠き１８ｃの部分をフレキシブル基板１４ａが通過し、その後にスピーカ１８が嵌入されることによって、フレキシブル基板１４ａが固定されている。マイクロフォン１４は軽量であるので、これで十分に固定される。しかし、接着剤または両面テープなどを併用してもよい。また、キャビティ壁材１８ａの切り欠き１８ｃの部分に突起を設け、フレキシブル基板１４ａに設けた穴にその突起が嵌入するようにして、フレキシブル基板１４ａの位置決めを行うようにしてもよい。また、フレキシブル基板１４ａが通過した部分に隙間ができる場合には、スポンジまたは適当な吸音材を詰めてノイズＮＺ３が入らないようにする。他の部分においても、隙間ができた場合には音が漏れないようにスポンジまたは適当な吸音材を詰める。
【００２８】
キャビティ壁材１８ａの内部におけるスピーカ１８の前面の部分が音響空間ＫＫである。音響空間ＫＫは、収納空間ＫＤに対して、キャビティ壁材１８ａおよびスピーカ１８によって仕切られているので、収納空間ＫＤからのノイズＮＺ２は音響空間ＫＫに入り難い。音響空間ＫＫは、スピーカ１８におけるフロントキャビティとしても機能する。すなわち、一般に、スピーカ１８は、その前面に適度な容量のフロントキャビティを設けることが、音圧の確保など音響的な面で有効である。フロントキャビティである音響空間ＫＫは、他の空間から音響的に遮断されており、本実施形態においてはそのような音響空間ＫＫにマイクロフォン１４を配置する。これによって、駆動系ＤＫからのノイズＮＺを効果的に遮断する。
【００２９】
なお、寸法の例を示すと、スピーカ１８は直径が１０〜１５ｍｍ程度、マイクロフォン１４は直径が３〜６ｍｍ程度である。スピーカ１８として、セラミック型や他の形式のものを用いてもよい。マイクロフォン１４として、コンデンサマイクロフォンや他の形式のものを用いてもよい。
【００３０】
また、図示は省略したが、グリップ部１０ｂの上壁面の表面または裏面に、穴１０ｄからゴミや水滴が侵入するのを防止するために、不織布またはステンレスの網などからなる保護部材が設けられる。
【００３１】
上の実施形態では、マイクロフォン１４をスピーカ１８の保護板１８３の上に接近して配置したが、音響空間ＫＫ内の他の位置、例えばグリップ部１０ｂの上壁面に接近させてもよい。また、空間的な余裕があれば、音響空間ＫＫの底面積をスピーカ１８の表面積よりも広くして、スピーカ１８とマイクロフォン１４とが重ならないように配置してもよい。
【００３２】
図６において、デジタルカメラ１は、メイン基板に設けられた制御部１０１、撮像素子１０４、フラッシュ回路１０８、背面操作基板に設けられた操作部１１０、背面に設けられたＬＣＤ１１３、マイクロフォン１４、スピーカ１８、および電池３３などを有する。制御部１０１は、ＣＰＵ、ＲＯＭおよびＲＡＭなどのメモリ、カメラ制御回路、インタフェースのための外部端子、表示制御のためのＩＣ回路などを有する。メイン基板または背面操作基板は、上に述べた回路基板３１ａ〜ｃなどによって構成される。
【００３３】
マイクロフォン１４は、動画撮影モードまたは音声記録モードなどにおいて、外部の音声を収集して録音するために用いられる。スピーカ１８は、再生モードにおいて、音声を出力する。マイクロフォン１４とスピーカ１８とは同時に作動することのないように制御されている。つまり、マイクロフォン１４が動作しているときにはスピーカ１８が動作しないように、かつスピーカ１８が動作しているときにはマイクロフォン１４が動作しないように制御されている。その他、ＣＰＵが所定のプログラムを実行することにより、デジタルカメラとしての種々の機能が実現されている。
【００３４】
図６に示されるように、制御部１０１や鏡胴１１などは本体空間ＫＨ内に設けられ、マイクロフォン１４、スピーカ１８、および電池３３は、壁材１０ｃで仕切られた収納空間ＫＤに設けられる。さらに、マイクロフォン１４は、キャビティ壁材１８ａで仕切られた音響空間ＫＫに設けられる。
【００３５】
因みに、従来においては、これらが同じ空間内に設けられており、鏡胴１１などの駆動系ＤＫから発生するノイズＮＺが余り減衰することなくマイクロフォン１４に伝わっていた。
【００３６】
上に述べたように、本実施形態のデジタルカメラ１では、マイクロフォン１４の配置された音響空間ＫＫは、収納空間ＫＤからキャビティ壁材１８ａによって遮音され、さらに収納空間ＫＤはノイズＮＺを発生する駆動系ＤＫのある本体空間ＫＨから壁材１０ｃによって遮音されている。したがって、駆動系ＤＫから発生するノイズＮＺ１は二段階で効果的に減衰され、マイクロフォン１４には実用上問題にならない程度のノイズＮＺ３しか入らない。また、駆動系ＤＫは、本体部１０ａの壁材によってほぼ密閉された本体空間ＫＨ内にあるので、そこから発生するノイズＮＺ１は外部にほとんど漏れない。
【００３７】
そして、筐体１０、壁材１０ｃ、キャビティ壁材１８ａの位置、距離、壁の厚さ、個数などを適宜変更することにより、広い範囲のノイズＮＺに対応することが可能である。
【００３８】
上に述べた実施形態において、デジタルカメラ１の小型化を一層優先する場合などにおいて、壁材１０ｃを設けることなく、本体空間ＫＨと収納空間ＫＤとを１つの空間とし、キャビティ壁材１８ａの厚さを一層厚くし、または適当な吸音材を併用して音響空間ＫＫの遮音効果を高めることによって、マイクロフォン１４へのノイズＮＺを減衰させることも可能である。また、キャビティ壁材１８ａを設けることなく、壁材１０ｃの厚さを厚くし、または適当な吸音材を併用して壁材１０ｃの遮音効果を高めることによって、マイクロフォン１４へのノイズＮＺを減衰させることも可能である。
【００３９】
その他、デジタルカメラ１の構造、構成、形状、寸法、機能、個数、配置、処理内容、処理順序などは、上に述べた以外の種々のものとすることができる。
【産業上の利用可能性】
【００４０】
音声記録モードまたは動画撮影モードなどを備え、録音中にズーミングやフォーカシングを行ったりする場合にもそれによるノイズを減衰させてＳＮ比のよい録音を行うことのできるデジタルカメラなどに利用できる。
【図面の簡単な説明】
【００４１】
【図１】本発明に係るデジタルカメラの概略の構造を示す正面断面図である。
【図２】デジタルカメラの平面断面図である。
【図３】デジタルカメラの構造を簡略化して示した図である。
【図４】収納空間を構成するキャビティ壁材の部分を示す正面断面図である。
【図５】キャビティ壁材の部分を示す平面図である。
【図６】デジタルカメラの機能を示すブロック図である。
【符号の説明】
【００４２】
１  デジタルカメラ（電子カメラ）
１０  筐体
１０ａ  本体部
１０ｂ  グリップ部
１０ｃ  壁材（第１の壁材）
１１  鏡胴
１４ａ  フレキシブル基板
１８ａ  キャビティ壁材（第２の壁材）
３３  電池
３４  モータ（駆動系）
３５  駆動機構（駆動系）
ＫＨ  本体空間（第１の空間）
ＫＤ  収納空間（第２の空間、電池収納空間）
ＫＫ  音響空間（第２の空間）
ＤＫ  駆動系
【図１】
2005197788.tif 000003
【図２】
2005197788.tif 000004
【図３】
2005197788.tif 000005
【図４】
2005197788.tif 000006
【図５】
2005197788.tif 000007
【図６】
2005197788.tif 000008